(57)【特許請求の範囲】
【請求項１】
ｎチャンネルの高周波信号入力端と最大ｎチャンネルの高周波信号出力端を有し、前記ｎチャンネルの入力信号から同時に複数チャンネルを選択して切替を行う多チャンネル高周波信号切替装置の切替接続動作をｋ回の検査を行なう結線モニタ装置であって、
前記多チャンネル高周波信号切替装置に設けられた前記ｎチャンネルの高周波信号入力端に接続され、予め設定した複数チャンネルの検査数（ｐ＝ｎ／ｋ）を単位に、それぞれ周波数帯域を異にした高周波信号を分配供給する入力側結線モニタ部と、
前記多チャンネル高周波信号切替装置に設けられた前記ｎチャンネルの高周波信号出力端に接続され、前記検査数（ｐ）を単位に、出力された高周波信号を合成し多重波形信号を出力する出力側結線モニタ部と
を具備したことを特徴とする多チャンネル高周波信号切替装置の結線モニタ装置。
【請求項２】
前記入力側結線モニタ部は、外部の観測用測定装置から、予め設定された高周波帯のある周波数帯域内においてフラットなレベルの高周波信号を入力し、この入力した高周波信号を、前記検査数（ｐ）に従って設けた、それぞれ設定周波数を異にするｐ個のバンドパスフィルタに分配し、同フィルタを通過させることによって、ｐ種の検査用高周波信号を生成し、前記ｎチャンネルの高周波信号入力端に出力することを特徴とする請求項１に記載の多チャンネル高周波信号切替装置の結線モニタ装置。
【請求項３】
前記出力側結線モニタ部は、ｐ個の高周波信号入力接栓を有して、前記多チャンネル高周波信号切替装置の前記ｎチャンネルの高周波信号出力端からｐ個を単位に切替出力された高周波信号を受信し、前記入力側結線モニタ部の前記バンドパスフィルタの設定周波数に対応するｐ個のバンドパスフィルタを通過させた各高周波信号を合成して前記観測用測定装置に供給することを特徴とする請求項２に記載の多チャンネル高周波信号切替装置の結線モニタ装置。
【発明の詳細な説明】
【技術分野】
【０００１】
本発明は、ｎチャンネルの入力信号から同時に最大ｎチャンネルの複数チャンネルを選択して複数チャンネルの同時切替を行う多チャンネル高周波信号切替装置の切替接続動作を検査する結線モニタ装置に関する。
【背景技術】
【０００２】
磁気共鳴イメージング装置（ＭＲＩ）においては、入力された複数チャンネルの高周波信号を、任意の組み合わせによる複数チャンネルの高周波信号に選択的に切り替えて出力する高周波信号切替回路を用いて、複数の要素コイルを複数の受信チャンネルに対して任意に割り当てる機能を実現している（特許文献１参照）。
【０００３】
上記装置に設けられた高周波信号切替回路は、高周波信号の切替チャンネル数が少なく、切替チャンネル数に合わせてスイッチをディスクリート接続した回路構成により実現していたが、近年、切替チャンネル数の多チャンネル化が要求されるに至り、ｎチャンネル（例えば１２８チャンネル）の入力信号から同時に複数チャンネルを選択して同時切替を行う多チャンネル高周波信号切替装置が開発されるに至った。
【０００４】
このような１００チャンネル以上の多チャンネル入力信号から同時に複数のチャンネルを選択して切替を行う、多チャンネル高周波信号切替装置が実用化されるに至り、当該高周波信号切替装置における結線状況の確認を行う有効な手段が必要とされるに至った。この結線状況の確認作業を従来と同様の手法によりチャンネル毎に接栓接続しながら行うと非常に多くの時間と労力を要し、また人為的な確認ミスの発生が懸念されるという問題が生じる。
【特許文献１】特許第３４５５５３０号公報
【発明の開示】
【発明が解決しようとする課題】
【０００５】
上述したように、多チャンネル高周波信号切替装置における結線状況の確認作業を従来と同様の手法によりチャンネル毎に接栓接続しながら行うと非常に多くの時間と労力を要し、また人為的な確認ミスの発生が懸念されるという問題があった。
【０００６】
そこで、本発明は、多チャンネル高周波信号切替装置における結線状況の確認作業を簡単かつ精確に効率よく行うことのできる多チャンネル高周波信号切替装置の結線モニタ装置を提供することを目的とする。
【課題を解決するための手段】
【０００７】
本発明は、ｎチャンネルの高周波信号入力端と最大ｎチャンネルの高周波信号出力端を有し、前記ｎチャンネルの入力信号から同時に複数チャンネルを選択して切替を行う多チャンネル高周波信号切替装置の切替接続動作をｋ回の検査を行なう結線モニタ装置であって、
前記多チャンネル高周波信号切替装置に設けられた前記ｎチャンネルの高周波信号入力端に接続され、予め設定した複数チャンネルの検査数（ｐ＝ｎ／ｋ）を単位に、それぞれ周波数帯域を異にした高周波信号を分配供給する入力側結線モニタ部と、
前記多チャンネル高周波信号切替装置に設けられた前記ｎチャンネルの高周波信号出力端に接続され、前記検査数（ｐ）を単位に、出力された高周波信号を合成し多重波形信号を出力する出力側結線モニタ部とを具備したことを特徴とする。
【発明の効果】
【０００８】
本発明によれば、多チャンネル高周波信号切替装置における結線状況の確認作業を簡単かつ精確に効率よく行うことのできる多チャンネル高周波信号切替装置の結線モニタ装置が提供できる。
【発明を実施するための最良の形態】
【０００９】
以下図面を参照して本発明の実施形態を説明する。  
本発明の実施形態に係る多チャンネル高周波信号切替装置の結線モニタ装置全体の構成を図１に示し、同結線モニタ装置における入力側結線モニタ部の構成を図２に示し、同結線モニタ装置における出力側結線モニタ部の構成を図３に示す。
【００１０】
本発明の実施形態に係る多チャンネル高周波信号切替装置の結線モニタ装置は、図１に示すように、検査対象となる多チャンネル高周波信号切替装置１の入力側と出力側に設けられる。
【００１１】
検査対象となる多チャンネル高周波信号切替装置１は、多チャンネル、例えば１２８チャンネルの高周波信号入力端と最大１２８チャンネルの高周波信号出力端とを具備し、１２８チャンネルの入力信号から同時に複数のチャンネルを選択して切替を行う多チャンネルの高周波信号切替機能を有する。この多チャンネル高周波信号切替装置１は、多数個の高周波スイッチを多段接続し階層化した切替回路を具備して構成される。
【００１２】
検査対象となる多チャンネル高周波信号切替装置１の入力側に設けられる結線モニタ部２は、観測用の測定装置（スペクトラムアナライザ）４の出力端から、予め設定された高周波帯のある周波数帯域内においてフラットなレベルの高周波信号（ＴＧ出力）を入力し、この入力した高周波信号を、予め設定した複数の検査単位数（ｐ）に従って設けた、それぞれ設定周波数（通過帯域周波数）を異にするｐ個のバンドパスフィルタに分配し、同フィルタを通過させることによって、ｐ種の検査用高周波信号を生成し出力する機能回路を具備する。
【００１３】
検査対象となる多チャンネル高周波信号切替装置１の出力側に設けられる結線モニタ部３は、ｐ個の高周波信号入力接栓を有して、検査対象となる多チャンネル高周波信号切替装置１の各高周波信号出力端からｐ個を単位に切替出力された高周波信号を入力し、これら各高周波信号を合成して多重波形化し、測定装置４の入力端に供給する機能回路を具備する。
【００１４】
検査対象となる多チャンネル高周波信号切替装置１の入力側に設けられる、入力側結線モニタ部２は、図２に示すように、入力信号コネクタ部（ＩＮ）２Ａ、信号分配部（ＤＩＶ）２１、バンドパスフィルタ部（ＢＰＦ）２２（２２ａ〜２２ｐ）、および出力用コネクタ部（ＯＵＴ）２３（２３ａ〜２３ｐ）を具備して構成されている。
【００１５】
入力信号コネクタ部（ＩＮ）２Ａは、同軸ケーブルを介して測定装置４の信号出力端に接続され、測定装置４の出力端から、ＴＧ（Tracking Generator）出力となる予め設定された高周波帯のある周波数帯域内においてフラットなレベルの高周波信号を入力する。
【００１６】
信号分配部（ＤＩＶ）２１は、入力信号コネクタ部（ＩＮ）２Ａが入力した、ある周波数帯域内においてフラットなレベルの高周波信号をｐ個のバンドパスフィルタ部（ＢＰＦ）２２ａ〜２２ｐに分配供給する。
【００１７】
バンドパスフィルタ部（ＢＰＦ）２２ａ〜２２ｐは、信号分配部（ＤＩＶ）２１から分配供給された高周波信号をそれぞれ個別に設定された通過帯域周波数に従いフィルタリング処理して、ｐ種の検査用高周波信号を生成する。ここではｐ＝１６として、バンドパスフィルタ部（ＢＰＦ）２２ａ〜２２ｐが、それぞれ固有の周波数に信号分配部（ＤＩＶ）２１から分配供給された高周波信号を、それぞれ個別に設定された通過帯域周波数（ｆ１〜ｆ１６）に従い、フィルタリング処理して、検査用高周波信号を生成する。
【００１８】
出力用コネクタ部（ＯＵＴ）２３ａ〜２３ｐは、バンドパスフィルタ部（ＢＰＦ）２２ａ〜２２ｐが生成したｐ（１６）種の検査用高周波信号をそれぞれ専用ケーブルを介し多チャンネル高周波信号切替装置１の高周波信号入力端にｐ（１６）個単位で供給する検査用出力インターフェースを実現する。
【００１９】
検査対象となる多チャンネル高周波信号切替装置１の出力側に設けられる、出力側結線モニタ部３は、入力信号コネクタ部（ＩＮ）３１（３１ａ〜３１ｐ）、バンドパスフィルタ部（ＢＰＦ）３２（３２ａ〜３２ｐ）、信号合成部（ＣＯＭＢ）３３、および出力コネクタ部（ＯＵＴ）３Ａを具備して構成されている。
【００２０】
入力信号コネクタ部（ＩＮ）３１ａ〜３１ｐは、入力側結線モニタ部２のバンドパスフィルタ部（ＢＰＦ）２２ａ〜２２ｐから出力用コネクタ部（ＯＵＴ）２３ａ〜２３ｐに出力され、さらに出力用コネクタ部（ＯＵＴ）２３ａ〜２３ｐから多チャンネル高周波信号切替装置１内の検査対象となる切替回路を経た、ｐ（１６）種の検査用高周波信号をそれぞれ専用ケーブルを介して個別に入力し、バンドパスフィルタ部（ＢＰＦ）３２ａ〜３２ｐに供給する。
【００２１】
バンドパスフィルタ部（ＢＰＦ）３２ａ〜３２ｐは、入力側結線モニタ部２のバンドパスフィルタ部（ＢＰＦ）２２ａ〜２２ｐに対応した通過帯域周波数（ｆ１〜ｆ１６）に設定され、入力信号コネクタ部（ＩＮ）３１ａ〜３１ｐに入力された検査用高周波信号をそれぞれ固有の通過帯域周波数に従いフィルタリング処理して検査用高周波信号を出力する。
【００２２】
信号合成部（ＣＯＭＢ）３３は、バンドパスフィルタ部（ＢＰＦ）３２ａ〜３２ｐから出力された検査用高周波信号を合成し多重波形を出力する。
【００２３】
出力コネクタ部（ＯＵＴ）３Ａは、信号合成部（ＣＯＭＢ）３３から出力された検査用高周波信号（多重波形信号）を同軸ケーブルを介して測定装置４の信号入力端（ＲＦ入力端）に供給する。
【００２４】
ここで、上記した本発明の実施形態に係る結線モニタ装置を用いた、多チャンネル高周波信号切替装置１の検査作業並びに動作について説明する。
【００２５】
測定装置４の出力端（ＴＧ出力端）と入力側結線モニタ部２の入力信号コネクタ部（ＩＮ）２Ａを同軸ケーブルで接続し、出力側結線モニタ部３の出力コネクタ部（ＯＵＴ）３Ａと測定装置４の入力端（ＲＦ入力端）を同軸ケーブルで接続する。入力側結線モニタ部２の出力用コネクタ部（ＯＵＴ）２３ａ〜２３ｐを、専用ケーブルを介し、多チャンネル高周波信号切替装置１内の最初の検査対象となるｐ（１６）個の高周波信号入力端に接続し、出力側結線モニタ部３の入力信号コネクタ部（ＩＮ）３１ａ〜３１ｐを、専用ケーブルを介し、多チャンネル高周波信号切替装置１内の最初の検査対象となる切替回路を経たｐ（１６）個の高周波信号出力端に接続する。
【００２６】
このようにして、入力側および出力側の結線モニタ装置に、検査対象となる多チャンネル高周波信号切替装置１の最初の検査対象（１６経路分の切替回路）を接続した後、測定装置４から、予め設定された高周波帯のある周波数帯域内においてフラットなレベルの高周波信号を出力する。この高周波信号（ＴＧ出力）は、同軸ケーブルを介して入力側結線モニタ部２の入力信号コネクタ部（ＩＮ）２Ａに入力される。
【００２７】
入力信号コネクタ部（ＩＮ）２Ａは、同軸ケーブルを介して測定装置４の信号出力端から入力された高周波信号を信号分配部（ＤＩＶ）２１に送出する。信号分配部（ＤＩＶ）２１は、入力信号コネクタ部（ＩＮ）２Ａが入力した、ある周波数帯域内においてフラットなレベルの高周波信号をｐ個のバンドパスフィルタ部（ＢＰＦ）２２ａ〜２２ｐに分配供給する。バンドパスフィルタ部（ＢＰＦ）２２ａ〜２２ｐは、信号分配部（ＤＩＶ）２１から分配供給された高周波信号をそれぞれ個別に設定された通過帯域周波数（ｆ１〜ｆ１６）に従いフィルタリング処理して、ｐ（１６）種の検査用高周波信号を生成し、対応する出力用コネクタ部（ＯＵＴ）２３ａ〜２３ｐに出力する。出力用コネクタ部（ＯＵＴ）２３ａ〜２３ｐは、バンドパスフィルタ部（ＢＰＦ）２２ａ〜２２ｐが生成したｐ（１６）種の検査用高周波信号をそれぞれ専用ケーブルを介し多チャンネル高周波信号切替装置１の最初の検査対象となる１６経路分の高周波信号入力端に供給する。
【００２８】
この検査用高周波信号は、多チャンネル高周波信号切替装置１の最初の検査対象となる１６経路分の切替回路を経由して、予め対応付けられたｐ（１６）個の高周波信号出力端から出力される。この多チャンネル高周波信号切替装置１の高周波信号出力端から出力された検査用高周波信号は出力側結線モニタ部３の入力信号コネクタ部（ＩＮ）３１（３１ａ〜３１ｐ）に入力される。入力信号コネクタ部（ＩＮ）３１ａ〜３１ｐは、入力側結線モニタ部２のバンドパスフィルタ部（ＢＰＦ）２２ａ〜２２ｐから出力用コネクタ部（ＯＵＴ）２３ａ〜２３ｐに出力され、さらに出力用コネクタ部（ＯＵＴ）２３ａ〜２３ｐから多チャンネル高周波信号切替装置１内の検査対象となる切替回路を経た、ｐ（１６）種の検査用高周波信号をそれぞれ専用ケーブルを介して個別に入力し、この検査用高周波信号をバンドパスフィルタ部（ＢＰＦ）３２ａ〜３２ｐに供給する。バンドパスフィルタ部（ＢＰＦ）３２ａ〜３２ｐは、入力信号コネクタ部（ＩＮ）３１ａ〜３１ｐに入力された検査用高周波信号をそれぞれ固有の通過帯域周波数に従いフィルタリング処理して検査用高周波信号を出力する。このバンドパスフィルタ部（ＢＰＦ）３２ａ〜３２ｐから出力された検査用高周波信号はそれぞれ信号合成部（ＣＯＭＢ）３３に送出される。信号合成部（ＣＯＭＢ）３３は、バンドパスフィルタ部（ＢＰＦ）３２ａ〜３２ｐから出力された検査用高周波信号を合成し多重波形信号を生成して、この検査用高周波信号（多重波形信号）を同軸ケーブルを介し測定装置４の信号入力端（ＲＦ入力端）に供給する。
【００２９】
これにより、測定装置４において、周波数帯域を異にする１６種の検査用高周波信号の多重波形が観測される。
【００３０】
この波形観測の一例を図４乃至図６に示している。図４は検査対象にある１６経路分の切替経路がすべて正常な場合を示している。図５は検査対象にある１６経路分の切替経路のうち、Ｐａ，Ｐｂの２経路に異常がみられる。この場合は、上記２経路上の専用ケーブルの断線、コネクタ端子の非接触等が考えられる。図６は検査対象にある１６経路分の切替経路のうち、Ｐｃ，Ｐｄ，Ｐｅ，Ｐｆに他との信号レベル差がみられる。この場合は、４本の専用ケーブルの接続ミス等が考えられる。
【００３１】
上記したような検査を１６経路分を単位に繰り返し実行し、最終的に１２８チャンネルすべての検査を実施する。これにより８回分の検査で１２８チャンネルすべての検査が終了する。
【００３２】
このような、本発明の実施形態に係る結線モニタ装置を用いて、検査対象となる多チャンネル高周波信号切替装置１における結線状況の確認作業を行うことにより、当該結線状況の確認作業を簡単かつ精確に効率よく行うことができる。
【図面の簡単な説明】
【００３３】
【図１】本発明の実施形態に係る結線モニタ装置の構成を示すブロック図。
【図２】上記実施形態に係る結線モニタ装置の入力側結線モニタ部の構成を示すブロック図。
【図３】上記実施形態に係る結線モニタ装置の出力側結線モニタ部の構成を示すブロック図。
【図４】上記実施形態に係る結線モニタ装置の確認動作を説明するための観測波形の出力例を示す図。
【図５】上記実施形態に係る結線モニタ装置の確認動作を説明するための観測波形の出力例を示す図。
【図６】上記実施形態に係る結線モニタ装置の確認動作を説明するための観測波形の出力例を示す図。
【符号の説明】
【００３４】
１…検査対象となる多チャンネル高周波信号切替装置、２…入力側結線モニタ部、３…出力側結線モニタ部、４…測定装置（スペクトラムアナライザ）、２Ａ…入力信号コネクタ部（ＩＮ）、２１…信号分配部（ＤＩＶ）、２２（２２ａ〜２２ｐ）…バンドパスフィルタ部（ＢＰＦ）、２３（２３ａ〜２３ｐ）…出力用コネクタ部（ＯＵＴ）、３１（３１ａ〜３１ｐ）…入力信号コネクタ部（ＩＮ）、３２（３２ａ〜３２ｐ）…バンドパスフィルタ部（ＢＰＦ）、３３…信号合成部（ＣＯＭＢ）、３Ａ…出力コネクタ部（ＯＵＴ）。
【図１】
0004727693.tif 000002
【図２】
0004727693.tif 000003
【図３】
0004727693.tif 000004
【図４】
0004727693.tif 000005
【図５】
0004727693.tif 000006
【図６】
0004727693.tif 000007